(57)【特許請求の範囲】
【請求項１】
流動性内容物のフィルムシールボトル及び容器のためのヒンジ式保証クロージャであって、
内側のネジ山（１６）を有するキャップ状下方部分（１）であって、キャップリッド（５）が、キャップリッド（５）の内側のネジ山（１６）間の直径の半分より小さな注ぎ出し口（４）を除いて閉鎖している下方部分と、
ヒンジ様式で、この下方部分（１）に一体形成されたリッドキャップ（２）であって、閉鎖位置で前記注ぎ出し口（４）を取り囲むように、内側に形成されたマフ（７）を有するリッドキャップと、
を備え、ここにおいて、
前記注ぎ出し口（４）の外側の前記下方部分（１）の前記キャップリッド（５）は、その中心に配列された穿刺スパイク（２４）を有する穿刺手段（６）を含み、前記穿刺手段は、反り返り変形中、最初の上の位置から下方端位置まで押すことができ、
前記リッドキャップ（２）は、穿刺手段（６）を動作させるための押しボタン（８）を含み、前記押しボタンは（８）は前記リッドキャップ（２）が前記下方部位（１）に対して閉じられたときに前記下方部材（１）の穿刺手段（６）上に固定されて保持され、
前記押しボタンは、材料ブリッジ（９）を介して前記リッドキャップ（２）に接続され、前記材料ブリッジは、前記リッドキャップ（２）が前記下方部位（１）から初めて開かれるときに前記押しボタン（８）が前記下方部材（１）の穿刺手段（６）上に固定されたまま残るために前記材料ブリッジ（９）が破壊されることで、前記リッドキャップ（２）が初めて開かれたことを認識するのを保証する保証要素として機能する、
ことを特徴とするヒンジ式保証クロージャ。
【請求項２】
請求項１に記載のフィルムシールボトル及び容器のためのヒンジ式保証クロージャであって、
前記穿刺手段（６）が、キャップリッド（５）内のアーチ状外向き構造から構成され、
アーチ状外向き構造は最初の位置では下方部分（１）上で、外又は上方に向かって突出し、反り返り変形により、内又は下方に突出する位置まで押し込まれ、内側には、中心に配列された下方に突出する穿刺スパイク（２４）が備えられることを特徴とする、フィルムシールボトル及び容器のためのヒンジ式保証クロージャ。
【請求項３】
請求項２に記載のフィルムシールボトル及び容器のためのヒンジ式保証クロージャであって、
前記リッドキャップ（２）が、下方に突出したカム（１０）及び突出縁ビード（１１）を備えた押しボタン（８）を有し、
前記押しボタン（８）は、前記リッドキャップ（２）内に一体化され、多数の材料ブリッジ（９）を介してこの上で保持され、
最初に、クロージャの下方部分（１）上に回転して閉じられるリッドキャップ（２）上のカム（１０）が、不可逆的に、アーチ状外向き構造（２２）上のグリップピース（１２）上のビード（１３）の後でロックし、
その後、ヒンジ様式でこの下方部分に属するリッドキャップ（２）は、材料ブリッジ（９）の破壊中に回転して開き、そのため、これらは完全性保証手段として作用することを特徴とする、フィルムシールボトル及び容器のためのヒンジ式保証クロージャ。
【請求項４】
アーチ状外向き構造（２２）の下側の穿刺スパイク（２４）は、前記穿刺スパイク（２４）により穿刺して開けられた穴を開けたままにするために、放射状リブ（２５）により補強される、ことを特徴とする、請求項１〜３のいずれか一項記載のフィルムシールボトル及び容器のためのヒンジ式保証クロージャ。
【請求項５】
下側の前記アーチ状外向き構造（２２）には、らせん配列された安定化リブ（２９）が備えられ、前記リブは、アーチ状外向き構造の射出成形時に流れ支援として作用するように構成される、ことを特徴とする、請求項２〜４のいずれか一項記載のフィルムシールボトル及び容器のためのヒンジ式保証クロージャ。
【請求項６】
請求項２〜５のいずれか１項に記載のフィルムシールボトル及び容器のためのヒンジ式保証クロージャであって、
前記キャップリッド（５）内の前記アーチ状外向き構造（２２）は、キャップリッド（５）から奥まった凹部（２１）を開口し、前記注ぎ出し口（４）の開口（２０）を開口することを特徴とする、フィルムシールボトル及び容器のためのヒンジ式保証クロージャ。
【発明の詳細な説明】
【技術分野】
【０００１】
本発明は、ヒンジ式保証クロージャ（ｇｕａｒａｎｔｅｅ  ｈｉｎｇｅ  ｃｌｏｓｕｒｅ）に関し、特に流動性媒質を含み、注ぎ出し口が、その縁に溶接または接着されたフィルムで閉鎖されたボトル及び容器のためのものである。
【背景技術】
【０００２】
フィルムで閉鎖されたそのような注ぎ出し口を含むケチャップボトル（ｋｅｔｃｈｕｐ  ｂｏｔｔｌｅｓ）は広まっており、皆に周知である。しかしながら、流動性内容物に関しては、食料品の場合である必要はない。そのようなヒンジ式クロージャは、塗料、化学薬品、潤滑剤などのため、とりわけ、用量様式で注ぎ出すべきかなり粘性の媒質のためのボトルに容易に適用することができる。特にケチャップボトルなどの、そのようなボトルの注ぎ口には、外側のネジ山が設けられており、それに、ヒンジ様式で一体形成されたリッドキャップを有するプラスチッククロージャがネジ込まれる。同時にプラスチッククロージャは、内側のネジ山を含む下方部分を備え、その上方側では、かなり小さな注ぎ出し口以外のボトルの開口が閉鎖され、その注ぎ口は、ボトルの開口の直径の約５分の１の大きさである。フィルムヒンジをこの下方部分の縁に配置し、これを介してリッドキャップを１ピースとして一体形成する。リッドキャップの高さは、下方部分上に回転させる状態では、それ自体の内側に注ぎだし口を完全に収容し、このため一面が閉鎖される。垂直に突出したマフがその内側に一体形成され、これが、回転閉鎖状態において、注ぎ出し口を閉鎖する。注ぎ出し口は、外側の上縁で、わずかに突出したビードを形成してもよく、このビードがリッドキャップ上のマフの内側の対応する凹部内に適合する。これにより、注ぎだし口の密封閉鎖が達成され、閉鎖した、すなわち、回転して閉鎖された位置のリッドキャップがクロージャの下方部分上で嵌め込まれる。
【０００３】
しかしながら、ボトル及び容器の充填は、そのようなヒンジ式クロージャがネジ付注ぎ口上にネジ込められる前に実施される。その後、ボトルまたは容器を、第１にシーリングフィルムでシールする。このフィルムを用いるのは、アルミニウムフィルムまたはプラスチックフィルムの場合であり、これらはネジ付注ぎ口の上部クロージャの縁に接着または溶接される。その後、ヒンジ式クロージャがねじ込められ、ボトルまたは容器はこの形態で顧客の元に届けられる。顧客はボトルまたは容器の内容物を注ぎ出すことができるように、最初に、このフィルムを切って開け、突き刺し、破って開け、穴を開けまたは切り裂かなければならず、または、どんなふうにでも、完全に除去される。多くの場合、これをするために、最初にヒンジ式クロージャ上のリッドキャップをひっくり返して開き、その後、鋭利な物体、例えば針、はさみの先端、鋭利なナイフ、楊枝または同様の補助器具を用いて、フィルムを、注ぎ出し口を通って穿刺し、下方に押し下げる。しかしながら、ほとんどの場合、清浄な注ぎ出し穴が生じない。一方、フィルム断片が下方に突出する。例えば、ケチャップを注ぎ出し口から注ぎ出す場合、この流体のコンシステンシーのため、いくらかのケチャックが不可避的にこれらの断片に付着したままとなる。同様のコンシステンシーまたは粘度を有する他の流体でも同じ効果が観察されるかもしれない。その後、ボトルを再び直立状態に置くと、このケチャップは断片上で乾燥し、ここで、クラストが形成され、このクラストは、新たに注ぎ出される度にいくらか成長し、最悪の場合、注ぎ出し口が遮断される。そのため、このようにフィルムにより閉鎖されるヒンジ式クロージャを備えるケチャップボトルまたは他の容器のヒンジ式クロージャの正確な開口は、最初にヒンジ式プラスチッククロージャが容器注ぎ口のボトルからネジで緩められ、その後、完全にこれから除去されるように達成されなければならない。このように、フィルムは注ぎ出し口の上縁から完全に引き離されるべきである。この目的のためのフィルムはしばしば引き裂きタブを備える。そのようなヒンジ式クロージャを厳密にこの様式で開封すると、その機能は阻害されず、内容物は指図に従う清浄な様式で注ぎ出されるかもしれない。しかしながら、たとえそのようなクロージャが正確な様式で動作しても、全ての局面を満足させることはない。
【０００４】
閉鎖クロージャでは、例えば、その前に一度すでに開封されたあるいはそうでないか、すなわち、リッドキャップがその前にすでに一度回して開けられたのかまたはそうでないかを認識することはできない。このため、リッドキャップを回し開ける前に除去されるべき別個の保証ストリップが必要であろう。しかしながら、そのようなストリップは多くのそのようなヒンジ式クロージャには存在しない。これは、紙ストリップをクロージャ全体に貼り付けることにより実施され、この紙ストリップの２端はボトルネック上を下方に延在する。しかしながら、それ自体、保証クロージャを形成するヒンジ式クロージャ、及びさらに、自動的に、そのリッドキャップが以前に１度、回転して開けられているかどうかを確認することができる（このために必要であった別個の紙シールストリップが要らない）ヒンジ式クロージャが必要である。
【０００５】
記述したヒンジ式クロージャに対する第２のさらに深刻な欠点は、注ぎ出し口の通路の清浄度が、満足いくように解決されていないという事実にある。上記のように、鋭利な物体が必要であるが、いずれにしても経路の清浄な開口が得られず、または、最初にボトル注ぎ口から完全にクロージャ全体を回してはずし、その後、フィルムを引き離し、その後、ヒンジ式クロージャをボトルにネジ込んで戻さなければならない。これは、その必要性が、初めてそのようなクロージャを使用する者にとって直ちに明らかにならない動作である。
【０００６】
フィルムがしばしば、鋭利な物体により注ぎ出し口を介して開けられるようにする理由かもしれない。ヒンジ式クロージャを一時的に完全に除去することによって正確に穴を開け、その後、フィルムを除去し、クロージャを再びネジ込むことは、全体として、クロージャをよりユーザフレンドリにするために、省略したい行動を構成する。
【発明の開示】
【発明が解決しようとする課題】
【０００７】
そのため、本発明の目的は、上記欠点を克服する、流動性内容物のフィルム−シールボトル及び容器を提供することである。このヒンジ式クロージャは最初に、一度開封された後、閉鎖したクロージャ上で容易に認識可能であるという点で、保証クロージャであるべきである。第２にヒンジ式クロージャは、クロージャの下に配置されている、ボトルまたは容器注ぎ口上のフィルムが、完全な様式で開封され、内容物が注ぎ出し口を通して注ぎ出されるようにすることができる。フィルムの同時開封が、クロージャを除去せずに達成されるべきである。このように、ヒンジ式クロージャはかなり、従来の解決策よりもユーザフレンドリであるべきである。しかしながら、同時に、１ピースとして、安価な様式で製造できるものであるべきであり、そのため、技術的に改善された特性にもかかわらず、この型の従来のヒンジ式クロージャに比べ、経済的に、またはわずかにより高く、製造することができる。
【課題を解決するための手段】
【０００８】
この目的は、内側ネジを有するキャップ状下方部分であって、そのキャップリッド上で、キャップリッドの内側ネジ部の直径の半分より小さな注ぎ出し口を除き閉鎖される下方部分、ならびに、ヒンジ様式でこの下方部分上に一体形成され、閉鎖位置で注ぎ出し口を取り囲むように内側に一体形成されたマフを有するリッドキャップを備える、流動性内容物のフィルムシールボトル及び容器のためのヒンジ式保証クロージャにより達成される。この場合、クロージャは、注ぎ出し口の外側の下方部分のキャップリッドが、中心に配列された穿刺スパイクを備える穿刺手段を含み、穿刺手段は、反り返り変形（ｓｐｒｉｎｇｉｎｇ  ｄｅｆｏｒｍａｔｉｏｎ）中、最初の上方位置から下端位置内まで押すことができ、この下方部分にヒンジ様式で属するリッドキャップは、穿刺手段を動作させるための押しボタンを含み、ボタンは、破壊位置として機能するように構成される材料ブリッジを介してこの手段に接続されていることを特徴とする。
【発明を実施するための最良の形態】
【０００９】
このヒンジ式保証クロージャの１つの好都合な態様の例を図面中の様々な図において示す。その後、クロージャについて詳細に説明し、その機能をこれらの図面により説明する。
【００１０】
図１は、射出成形直後に示されるような、開封位置にあるプラスチックの保証クロージャを示した図である。下方部分１及び関連するリッドキャップ２から構成され、リッドキャップ２は、ヒンジ３を介して１ピースとして下方部分１に接続される。下方部分１は、内側にネジ山を有するネジ付キャップを形成し、ボトルまたは容器のネジ付注ぎ口上にねじ止めされるように構成される。このキャップは、キャップリッド５により、注ぎ出し口４を除き上面で閉鎖される。特に、このクロージャ下方部分１はボトルまたは容器の注ぎ口上に溶接されたシーリングフィルムを穿刺して開けるための穿刺手段６を備える。この穿刺手段６の構成及び機能は説明の過程で明らかになるであろう。最初に、ここで視認可能な外側にあるこの穿刺手段６はドーム状の隆起部分及びアーチ状の外向き構造を形成すること、この外向き構造は、図示した位置から、下方に押し下げることができ、同時に押し下げ位置まで反り、そこで、ドーム状凹部またはアーチ状外向き構造として下方に突出する様に設計し、または変形可能であることに言及すれば、十分である。ここで図示した最初の状態から押し下げ状態までの変形は、不可逆的様式で実施され、これは、アーチ状の外向き構造の押し下げ状態が固定されたままになることを意味する。リッドキャップ２の内側にはマフ７が備えられ、マフは、下方部分１上にリッドキャップ２を回転して閉鎖させる時に、注ぎ出し口４上を正確に押し、そのため、密閉様式で注ぎ出し口が取り囲まれるように配列され、またはそのような寸法とされる。さらに、リッドキャップ２は、多くの材料ブリッジ９を介してリッドキャップ２に接続される押しボタン８を備える。図示した例は、押しボタン８の周囲に分配された４つの材料ブリッジ９の場合である。ここで、押しボタン８は下側から見たものである。そのため、押しボタンは反対側から作動される。ここで図示した下側には、カム１０が備えられ、カムはこの下側から垂直に突出し、その端で、突出ビード１１に包囲される。２つの半円グリップピース１２は、このカム１０に対する対ピースとして穿刺手段６の上側に一体形成される。これらの内側上縁のグリップピースは内側に突出するビード１３を形成する。リッドキャップ２がヒンジ３に対し下方部分１上に回転して閉鎖されると、カムが２つのグリップピース１２間で押され、これにより、最終的にはカム１０上のビード１１が、グリップピース１２上のビード１３の後にはめ込まれる。当然、できるだけぴったり、グリップピース１２がアーチ状外向き構造上の押しボタン及びカム上に配置されるようにされる。しかしながら、本質的なことは、これらの２つの相補的な要素が互いにロックでき、引張非陽性適合である（ｔｅｎｓｉｌｅ ｎｏｎ−ｐｏｓｉｔｉｖｅ ｆｉｔ）ことである。この理由はクロージャの機能の説明過程で明らかになるであろう。
【００１１】
図２は図１で示したのと同じ状態におけるヒンジ式保証クロージャを示したものであり、つまり、その射出成形後であるが、上下逆、または裏返した、つまり、リッドキャップ２の上側から下方部分１の下側にいたるまで斜めに見た図である。リッドキャップ２においては、押しボタン８を認識することができ、このボタンは４つの材料ブリッジ９を介してリッド２内で保持される。ヒンジ３とは反対に位置するリッドキャップ２の側では、このリッドキャップは凹部１４を備え、そのため、突出縁１５がその上方に形成され、その上のリッドキャップを握ってピボット開封することができる。下方部分１はヒンジ３の別の側上で一体形成される。この下方部分１により形成されるネジ付キャップの内側のネジ山１６を見ることができる。ストリップ１７は、この図面では最上部で見られる下方部分１の下方縁上の多くの材料ブリッジ１８を介して一体形成される。クロージャの前側には、このようにヒンジに対向して、ストリップ１７が中断され、２つの端が互いに、２つの小さな材料ブリッジ１８を介してのみ互いに接続される。保持要素１９はこのストリップ１７の内側に配列され、ねじって開封すると（ｓｃｒｅｗｉｎｇ ｏｐｅｎ）、初めて、ヒンジ式保証クロージャが不可逆的に、ボトルまたは容器のネジ付注ぎ口上の対応する突起上にロックされる。これにより、ヒンジ式保証クロージャは、材料ブリッジ１８の破損中にネジ付注ぎ口からねじってはずすことができる。キャップリッド５の内側には、別の側に配列された注ぎ出し口４の開口２０が認識される。凹部２１はこの開口２０の周囲にキャップリッド５から奥まって設けられる。この凹部は穿刺手段６の下側に向かって延在し、ここには、２、３のガイドリブ３０が備えられる。これらの機能は下記で明らかになるであろう。穿刺手段６はドーム状、すなわちアーチ状の外向き構造２２から構成され、この構造は、ここで示した図面では、下方アーチである。このアーチ状外向き構造の中心には、穿刺スパイク２４が、この外向き構造の内側から垂直に突出して配列される。放射状補強リブ２５は、この穿刺スパイク２４を安定化するために配列され、中央領域全体２３にわたり延在する。しかしながら、これらの補強リブ２５は、シーリングフィルムを穿刺するための穿刺スパイク２４を強化する機能を有するだけでなく、その上、シーリングフィルムを穿刺することにより生じた穴を開いたままにするためのものである。アーチ状外向き構造２２の中央領域２３の外側では、らせん状に外に向かっている安定化リブ２９が備えられ、リブは、一方では外向き構造２２を補強し、もう一方では、ここで示されている外向き状態から、反り返り変形中に、すなわち、ねじ付キャップを形成する下方部分１の内側に向かう方向に押され、下方部分１の内側に向かって最終的にアーチ状とされることを保証する。この変形部２２の押し込みを用い、穿刺スパイク２が下方部分１の内側に押し込まれ、外向き構造がここで示した凹形状から、ここから見ると凸形状に反り、これが保持される。さらに、安定化リブ２９はこの部品の射出成形時の流れ支援（ｆｌｏｗ ａｉｄ）として機能する。
【００１２】
図３では、ヒンジ式保証クロージャが、図２で今記述したものとして表されているが、その中央を通る縦断面で示されている。この表示では、特に、断面要素の形状が認識される。最初に、各場合においてバーブを形成する保持要素１９に言及すべきである。下方部分１のキャップリッド５の内側の凹部２１は注ぎ出し口４の入口開口２０の周囲に延在し、アーチ状外向き構造２２内に開口し、外向き構造はここで、ネジ付キャップに対し外に向かってアーチ状になっており、ネジ付キャップは実際、クロージャの下方部分１により形成される。外向き構造２２の内側には、安定化リブ２９が備えられ、これらのリブはらせん様式で配列されている。これらは、外向き構造２２がここで示した外向きのアーチ状位置から、内向きのアーチ状位置に反るのに寄与する。グリップピース１２はアーチ状外向き構造２２の外側に配置される。断面のため、ここでは、その内の１つのみが示されている。対照的に、内側には、すなわち、グリップピース１２の反対側には、穿刺スパイク２４がネジ付キャップまたはクロージャ下方部分１の内側内に突出している。スパイクはこの垂直に突出した位置に、多くの、放射状補強リブ２５により固定される。ここでは、閉じた位置から１８０°だけ回転して開いたリッドキャップ２は、この図では、上からまたは外側から見ることができる。押しボタン８がリッド面内に形成され、このボタン８は数個の材料ブリッジ９を介してのみ、リッド面内に保持される。底には、突出した外縁１１を備えたカム１０がリッドの面に対し垂直に下方に突き出ている。カム１０は射出成形技術のため、中空に設計されている。リッド面の下側で下方に突出しており、縁に沿って内側にビード２６が形成されているマフは、ヒンジ３からいくらかさらに離されて配置されている。クロージャの下方部分１上にリッドキャップ２を回転して閉鎖させると、マフ７はシーリング様式で注ぎ出し口４を押し、カム１０がグリップピース１２間に存在するようになり、ここで、ビード１１がグリップピース１２上のビード１３の後にロックされ、このように固定され保持される。
【００１３】
回転して閉じた状態の保証クロージャ及び最初のリッドキャップ２の閉鎖を図４に示す。この状態で、ボトルまたは容器にネジ留めされる。従来のヒンジ式クロージャとは対照的に、４つの材料ブリッジ９のみによって面内に保持されているリッド面内の押しボタン８が認識される。
【００１４】
図５は図４に示した状態の保証クロージャを示した図であるが、ここでは、その中央を通る縦断面図を示す。この図では、リッドキャップ２の内側のマフ７がどのように注ぎだし口４を押し、どのようにカム１０がグリップピース１２間にロックされるかが非常によく認識できる。全体として穿刺手段６は上面までのアーチ状外向き構造を形成するので、このアーチにより、反応力が集められ、グリップピース１２がカム１０の押し込み力に抵抗し、わずかに広がるだけであり、そのため、縁ビード１１を有するカム１０はビード１３の後でロックされ、張力によりそこに保持される。ここで示した図では、穿刺スパイク２４の先端のみがネジ付キャップ１のリッド面の下側に到達するが、この下には行かないことがわかる。ここでは、ボトルまたは容器の注ぎ口に溶接または接着されたシーリングフィルム２７が点線で描かれており、このリッド面の真下に存在し、そのため、最初は穿刺カッター２４により損傷を受けていないままである。
【００１５】
図６は回転して閉じられた、及び閉じたリッドキャップ２を有するヒンジ式保証クロージャを、下から斜めに見た図である。安定化リブ２９を有するアーチ状外向き変形部２２の下面に、補強リブ２５と共に、穿刺手段上中央に配列されている穿刺スパイク２４が認識される。これらは全体として穿刺手段６を形成する。
【００１６】
図７に示すように、初めてリッドキャップ２を回転して開けた後のヒンジ式保証クロージャを提示する。回転して閉じたリッドキャップ上の押しボタン８が初めて、下方に突出しているカムを有するグリップピースにロックされるので、クロージャの下方部分１上にしっかりと保持される。再びリッドキャップ２を回転して開けるには、押しボタン８を、リッドキャップ２上の最初の位置に保持する材料ブリッジ９の破壊が必要である。そのため、押しボタン８は下方部分１上に残ったままであり、その後、穴２８が、回転して開いたリッドキャップ２内に開き、前にその中に配列された押しボタン８が残る。今や、押しボタン８は穿刺手段６のアーチ状の外向き構造２２上に配置される。このように、材料ブリッジ９は、初めて開いたことを確実に保証するための保証要素として機能する。リッドキャップが初めてひっくり返して開けられると直ちに、これらの材料ブリッジは破壊され、直ちに、クロージャから、これはもはや無傷ではないことが認識される。
【００１７】
図８は初めてリッドキャップ２を回転して開いた後のこの状態を正確に示しているが、ヒンジ式保証クロージャの中央を通る縦断面図である。シーリングフィルム２７は、穿刺スパイク２４の下に存在することが示されており、内容物を注ぎ出すために切断または穿刺される。これは、ここで図示したリッドキャップ２が開いた位置で、押しボタン８を指で押すことにより実施される。これにより、ドーム状またはアーチ状外向き構造２２は変形し、穿刺スパイク２４が下方に押され、その下でピンと張られたシーリングフィルム２７が穿刺される。外向き構造２２は最後に、ネジ付キャップ１のキャップリッド５の下側に反り、クロージャ下方部１が形成される。したがって、下方に向かってアーチ状となった外向き構造２２が形成され、穿刺スパイク２４がシーリングフィルム２７を開く。生じた貫流開口は、注ぎ出し口４の貫流断面よりも大きくなり、今後、補強リブ２５により開いたまま維持される。
【００１８】
図９では、押しボタン８を押し下げた後、クロージャ下方部分１が上方からどのように見えるかが明かになる。押しボタン８全体は、数ｍｍ深いレベルに存在し、アーチ状外向き構造２２はある位置に反り、上から見ると、漏斗形状となる。同時に、穿刺スパイクはシーリングフィルム中に穿刺し、これを、補強リブと共に下方に押し、補強リブは貫流開口をシーリングフィルム開口内で維持する。
【００１９】
今や、ヒンジ式保証クロージャは内容物を注ぎ出す準備ができている。ボトルまたは容器を注ぎ出し位置に至らせ、その後、内容物は、図６で見られるように凹部２１内、及びこの中のガイドリブ３０の間にある、穿刺し、破った貫流開口を通して、注ぎ出し口４まで、及びこれを通して外まで流れる。その後流れ出る流体に対しては、明らかに規定されたチャネルがガイドリブ３０により形成され、これを通して流体が、シーリングフィルム２７内の開口を通して流れた後、注ぎ出し口４まで誘導され、これを通って外まで流れる。使用後、リッドキャップ２は回転して閉じられ、再び下方部分１上にひっくり返され、直ちに、シーリングによりマフ７を用いて注ぎ出し口４が閉じられる。この閉鎖位置では、注ぎ出し口４内及びその外に位置する流体は、空気から排除され、このため表面が固くならない。
【００２０】
このように、このヒンジ式保証クロージャは、シーリングフィルムが押しボタン８への簡単な指圧により開くという利点を有する。そのため、クロージャは、始めに、ボトルまたは容器からねじってはずす必要がなく、直ちにシーリングフィルムが除去されてもよい。そのため、クロージャはかなり、よりユーザフレンドリである。注ぎ出し口を通る穿刺道具の助け無しで、シーリングフィルムを通って穿刺して開くまたは押す必要はもはやない。これらのいずれの場合も清浄な流動開口には至らない。材料ブリッジを介してリッドキャップ内に配列された押しボタンを供えたクロージャは一体保証手段を含み、これにより、追加の接着ストリップまたは他の型のシールの提供が不必要となる。これにも関わらず、クロージャは一度に単一ピース部品として射出成形することができ、このため、従来のヒンジ式クロージャよりも高価になることはほとんどない。
【図面の簡単な説明】
【００２１】
【図１】射出成形後の状態のヒンジ式保証クロージャであり、リッドキャップが回して開封されており、上方から斜めに、リッドキャップの下側から下方部分の上側までを見た図である。
【図２】射出成形後の状態のヒンジ式保証クロージャであり、リッドキャップは回して開封されており、下方から斜めに、リッドキャップの上側から下方部分の下側内までを見た図である。
【図３】図２に示したヒンジ式保証クロージャであるが、その中央を通る縦断面図である。
【図４】最初に回して閉鎖した後の状態のヒンジ式保証クロージャ及びそのリッドキャップの閉鎖、及びどのようにボトル内または容器上にネジ止めされるかを示した図である。
【図５】図４で示したような状態のヒンジ式保証クロージャであるが、その中央通る縦断面図である。
【図６】下方から斜めに見た回転して閉鎖された、及び閉鎖リッドキャップのヒンジ式保証クロージャである。
【図７】初めてリッドキャップを回転して開いた後のヒンジ式保証クロージャであり、上方から斜めに、下方部分の上側から、リッドキャップの下側内までを見た図であり、まだ使用していない穿刺手段が備えられている。
【図８】図７に示されるような状態にあるが、その中央を通る縦断面で示されるヒンジ式保証クロージャである。
【図９】リッドキャップを回転して開いたヒンジ式保証クロージャであり、上方から斜めに、下方部分の上側からリッドキャップの下側内にまでを見た図であり、穿刺手段の動作が実行された後である。
【符号の説明】
【００２２】
１  クロージャ下方部分、２  リッドキャップ、３  ヒンジ、４  注ぎ出し口、５  クロージャ下方部分上のキャップリッド、６  穿刺手段、７  リッドキャップ２の内側のマフ、８  押しボタン、９  押しボタン用の材料ブリッジ、１０  押しボタンの下側のカム、１１  カム上の突出ビード、１２  アーチ状外向き構造上の外側のグリップピース、１３  クラムピース１２上の内側ビード、１４  リッドキャップ縁の凹部、１５  凹部１４上の縁、１６  クロージャ部分１上の内側ネジ山、１７  クロージャ部分１の下部縁上のストリップ、１８  ストリップ１７のための材料ブリッジ、１９  ストリップ１７上の保持手段、２０  注ぎ出し口の開口／オリフィス、２１  下方部分１のキャップリッド５の凹部、２２  ドーム状、アーチ状外向き構造、２３  外向き構造の中央領域、２４  穿刺スパイク、２５  穿刺スパイクのための補強リブ、２６  マフ７の内側のビード、２７  ボトルまたは容器開口上のシーリングフィルム、２８  この押しボタンの欠如によるリッドキャップ２内の穴、２９  外向き構造２２上のらせん安定化リブ、３０  凹部中のガイドリブ。
【図１】
0004451786.tif 000002
【図２】
0004451786.tif 000003
【図３】
0004451786.tif 000004
【図４】
0004451786.tif 000005
【図５】
0004451786.tif 000006
【図６】
0004451786.tif 000007
【図７】
0004451786.tif 000008
【図８】
0004451786.tif 000009
【図９】
0004451786.tif 000010